(57)【要約】【課題】  前端ローラーが昇降しても、コンベアベルトの生地排出部分と生地案内板との間の角度が変らない延反機を提供する。【解決手段】  キャリッジ５では、コンベアベルト４が巻掛けられる前端ローラー１１、上部案内ローラー１２および下部案内ローラー１３と、生地案内板１４とが、相対的な位置関係を保つように、保持フレーム１６によって保持される。コンベアベルト４は、上部案内ローラー１２から前端ローラー１１への生地排出部分４ａで下方に傾斜して生地３を排出する。保持フレーム１６によって、生地排出部分４ａと生地案内板１４との傾斜が同一の角度となるようにすることができる。【選択図】図１
2019072789.tif 000002
【特許請求の範囲】
【請求項１】
生地を搬送するコンベアベルトと、搬送方向の前端側でコンベアベルトが巻掛けられる前端ローラーと、前端ローラーよりも搬送方向の後端側でコンベアベルトの上側と下側とを受けて案内する上部案内ローラーおよび下部案内ローラーとを含み、コンベアベルトは上部案内ローラーから前端ローラーへの生地排出部分で下方に傾斜して生地を排出し、前端ローラーは、搬送方向の前後に往復移動しながら、載置面上に生地を積重ねて積層体を形成し、積層厚に応じて昇降する延反機において、
前端ローラー、上部案内ローラーおよび下部案内ローラーの相対的な位置関係を保つように保持する保持フレームと、
保持フレームを、前端ローラーの昇降に応じてコンベアベルトの生地排出部分の下方への傾斜をそれぞれ緩急させる案内機構と、
前端ローラーの搬送方向前方に隣接するように保持フレームで支持され、生地排出部分の延長上で生地を載置面上に案内する生地案内板とを含む、
ことを特徴とする延反機。
【請求項２】
前記案内機構は、前記前端ローラーを垂直方向に、前記上部案内ローラーまたは前記下部案内ローラーを前記搬送方向の前後となる水平方向に、それぞれ直線状の経路で移動するように案内する、
ことを特徴とする請求項１記載の延反機。
【請求項３】
前記保持フレームは、前記搬送方向に垂直な幅方向の両側に配置され、
前記生地排出部分とその下側のコンベアベルト間に配置され、両側の保持フレーム間に渡る梁部材を含む、
ことを特徴とする請求項１または２記載の延反機。
【請求項４】
前記梁部材は、前記幅方向の中間部分で、前記前端ローラーを補強するように支持する、
ことを特徴とする請求項３記載の延反機。
【請求項５】
前記保持フレームによって支持され、前記下部案内ローラーの後方で、前記コンベアベルトの下側を押圧して弛みを吸収する弛み取りローラーを含む、
ことを特徴とする請求項１から４のいずれか一つに記載の延反機。
【発明の詳細な説明】
【技術分野】
【０００１】
本発明は、布帛などの生地を切断して載置面上に積層する延反機に関する。
【背景技術】
【０００２】
従来から、裁断機で裁断する生地を積層するためなどに延反機が使用されている。延反機としては、テーブルの載置面の上方を移動可能なコンベア式の搬送機構を備え、ロール状の原反から引き出して切断した生地を載置面上に積み重ねて積層体を形成する延反積層装置などが知られている（たとえば、特許文献１参照）。
【０００３】
以下、特許文献１の延反積層装置の概略的な構成について説明する。特許文献１の記載と異なる名称を使用する部分には、特許文献１での対応する名称をカッコ付で示す。生地（布地）を搬送するコンベアベルトと、搬送方向の前端（他端）側でコンベアベルトが巻掛けられる前端（上端）ローラーと、前端ローラーよりも搬送方向の後端（一端）側でコンベアベルトの上側と下側とを受けて案内する上部案内ローラーおよび下部案内ローラーとを含み、コンベアベルトは上部案内ローラーから前端ローラーへの生地排出部分で下方に傾斜して生地を排出し、前端ローラーは、搬送方向の前後に往復移動しながら、載置面上に生地を積重ねて積層体を形成し、積層厚に応じて昇降する。前端ローラーから排出される生地は、一定の傾斜角度を有する生地（布地）案内板で案内されて載置面上に移行する。生地案内板は、前端ローラーとともに昇降する。
【先行技術文献】
【特許文献】
【０００４】
【特許文献１】特許第５７８１２０５号公報
【発明の概要】
【発明が解決しようとする課題】
【０００５】
特許文献１の延反積層装置では、前端ローラーが生地の積層厚に応じて昇降するのに対して、上部案内ローラーよりも後方の部分が水平に保たれている。コンベアベルトが上部案内ローラーから前端ローラーに架かる生地排出部分は下方に傾斜するけれども、下方への傾斜角度は、前端ローラーの昇降に対応してそれぞれ減増する。生地案内板の傾斜角度は、一定に保たれる。この傾斜角度は、前端ローラーが最も下降している場合のコンベアベルト生地排出部分の傾斜角度に合わせてあるけれども、前端ローラーが上昇すると、コンベアベルトの生地排出部分の傾斜角度が減少し、生地案内板の傾斜角度よりも小さくなる（特許文献１の図６参照）。このような角度差が生じ、前端ローラーと生地案内板との間隔も広がるので、生地の先端が前端ローラーから生地案内板に円滑に移行することができなくなるおそれがある。
【０００６】
本発明の目的は、前端ローラーが昇降しても、コンベアベルトの生地排出部分と生地案内板との間の角度が変らない延反機を提供することである。
【課題を解決するための手段】
【０００７】
本発明は、生地を搬送するコンベアベルトと、搬送方向の前端側でコンベアベルトが巻掛けられる前端ローラーと、前端ローラーよりも搬送方向の後端側でコンベアベルトの上側と下側とを受けて案内する上部案内ローラーおよび下部案内ローラーとを含み、コンベアベルトは上部案内ローラーから前端ローラーへの生地排出部分で下方に傾斜して生地を排出し、前端ローラーは、搬送方向の前後に往復移動しながら、載置面上に生地を積重ねて積層体を形成し、積層厚に応じて昇降する延反機において、
前端ローラー、上部案内ローラーおよび下部案内ローラーの相対的な位置関係を保つように保持する保持フレームと、
保持フレームを、前端ローラーの昇降に応じてコンベアベルトの生地排出部分の下方への傾斜をそれぞれ緩急させる案内機構と、
前端ローラーの搬送方向前方に隣接するように保持フレームで支持され、生地排出部分の延長上で生地を載置面上に案内する生地案内板とを含む、
ことを特徴とする延反機である。
【０００８】
また本発明で、前記案内機構は、前記前端ローラーを垂直方向に、前記上部案内ローラーまたは前記下部案内ローラーを前記搬送方向の前後となる水平方向に、それぞれ直線状の経路で移動するように案内する、
ことを特徴とする。
【０００９】
また本発明で、前記保持フレームは、前記搬送方向に垂直な幅方向の両側に配置され、
前記生地排出部分とその下側のコンベアベルト間に配置され、両側の保持フレーム間に渡る梁部材を含む、
ことを特徴とする。
【００１０】
また本発明で、前記梁部材は、前記幅方向の中間部分で、前記前端ローラーを補強するように支持する、
ことを特徴とする。
【００１１】
また本発明では、前記保持フレームによって支持され、前記下部案内ローラーの後方で、前記コンベアベルトの下側を押圧して弛みを吸収する弛み取りローラーを含む、
ことを特徴とする。
【発明の効果】
【００１２】
本発明によれば、生地を搬送するコンベアベルトが巻掛けられる前端ローラー、上部案内ローラーおよび下部案内ローラーは、保持フレームによって相対的な位置関係を保つように保持される。生地案内板は、前端ローラーの搬送方向前方に隣接し、生地排出部分の延長上で生地を載置面上に案内するように保持するので、前端ローラーを生地の積層厚に応じて昇降させて生地排出部分の傾斜角度が変っても、生地案内板も同一の傾斜角度に変り、生地排出部分との間の角度が変らないようにすることができる。
【００１３】
また本発明によれば、前端ローラーを垂直方向に、上部案内ローラーまたは下部案内ローラーを搬送方向の前後となる水平方向に、それぞれ直線状の経路で移動するように案内するので、円滑かつ安定な案内を行うことができる。
【００１４】
また本発明によれば、幅方向の両側での保持フレームの支持によって、前端ローラー、上部案内ローラーおよび下部案内ローラーの相対的な位置関係は変らず、生地排出部分とその下側のコンベアベルトとの間の空間も３つのローラーや保持フレームに対する位置関係は変らない。この空間に生地排出部分の幅方向の強度を補強する梁部材を配置することができる。
【００１５】
また本発明によれば、前端ローラーは、幅方向の中間部分で補強されるので、生地排出部分での前端ローラーの撓みを防止することができる。
【００１６】
また本発明によれば、前端ローラーが上昇して、生地排出部分の傾斜が緩む際に、下部案内ローラーの後方で、コンベアベルトの下側を押圧して弛みを吸収することができる。
【図面の簡単な説明】
【００１７】
【図１】図１は、本発明の実施例１としての延反機１の概略的な構成を示す模式的な側面断面図である。
【図２】図２は、図１のキャリッジ５の概略的な構成を示す右側面図である。
【図３】図３は、図１のキャリッジ５の概略的な構成を示す平面図である。
【図４】図４は、図３の切断面線Ａ−Ａから見た側面断面図である。
【図５】図５は、図１の前端ローラー１１の昇降とコンベアベルト４の生地排出部分４ａの傾斜の変化との関係を示す簡略化した右側面図である。
【図６】図６は、本発明の実施例２および実施例３でのコンベアベルト４の弛み取りの効果を示す簡略化した右側面図である。
【発明を実施するための形態】
【００１８】
以下、図１〜図５で、本発明の実施例１としての延反機１の構成について説明する。また図６では、本発明の実施例２および実施例３について、簡単に説明する。説明の便宜上、説明対象の図には記載されていない部分について、他の図に記載される参照符を付して言及する場合がある。
【実施例１】
【００１９】
図１は、延反機1の概略的な構成を示す。延反機１は、テーブル２の載置面２ａ上に生地３を積層する。生地３は、原反ロール３ａから引き出され、積層体３ｂを形成するように、コンベアベルト４で搬送する。コンベアベルト４は、無端状で、搬送方向の前端側のキャリッジ５と後端側の後端ローラー６との間に架けられ、コンベア駆動ユニット７によって搬送用に駆動される。キャリッジ５は、キャリッジ駆動ユニット８による駆動で、載置面２ａの上方を、搬送方向の前後に移動する。後端ローラー６は、キャリッジ５と連動して移動する。原反ロール３ａから引き出された生地３が上部案内ローラー１２に至る経路のコンベアベルト４上には、カッターユニット９が設けられ、カッター駆動ユニット１０による駆動で、搬送方向の前後に移動する。
【００２０】
キャリッジ５は、コンベアベルト４が巻掛けられる前端ローラー１１と、上部案内ローラー１２と下部案内ローラー１３とを含む。上部案内ローラー１２は、前端ローラー１１よりも搬送方向の後端側でコンベアベルト４の上側を受けて案内する。下部案内ローラー１３は、前端ローラー１１の搬送方向の後端側でコンベアベルト４の下側を受けて案内する。生地案内板１４は、前端ローラー１１の搬送方向前方に隣接するように配置され、生地排出部分４ａの延長上で生地３を載置面２ａ上に案内する。コンベアベルト４は、上部案内ローラー１２から前端ローラー１１への生地排出部分４ａで下方に傾斜して生地３を排出する。キャリッジ５に搭載される前端ローラー１１は、搬送方向の前後に往復移動しながら、載置面２ａ上に生地３を積重ねて積層体３ｂを形成し、積層厚に応じて昇降する。前端ローラー１１の斜め上前方に配置される生地押え１５は、生地３の先端付近を前端ローラー１１の外周に押付けて押えることができる。
【００２１】
キャリッジ５は、前端ローラー１１、上部案内ローラー１２および下部案内ローラー１３、ならびに生地案内板１４の相対的な位置関係を保つように保持する保持フレーム１６を含む。保持フレーム１６は、ほぼ板状であるけれども、ブロック状や、部材の組合せであってもよい。キャリッジ５の搬送方向の後方で、コンベアベルト４は水平の経路を保った後、下方に曲り、さらに前方に曲って後端ローラー６に巻き掛けられる。コンベアベルト４が下方に曲る位置の後方には、原反ロール３ａから引き出された生地３が下方に弛まされる放反部１７が設けられる。後端ローラー６に巻き掛けられたコンベアベルト４は、後方に戻り、上方に曲って弛み取り部１８を通過し、前方の下部案内ローラー１３に戻る。カッターユニット９は、幅方向に移動して生地３を切断するカッター１９を備える。
【００２２】
図２および図３は、図１のキャリッジ５の概略的な構成を示す。キャリッジ５の外側は、ハウジング２０で覆われている。
【００２３】
図２に示すように、キャリッジ５には、前端ローラー１１を上下方向に直線移動するように案内する上下案内機構２１が設けられる。上下案内機構２１とともに、案内機構２２として、下部案内ローラー１３を搬送方向の前後の水平方向に直線移動するように案内する前後案内機構２３も設けられる。上下案内機構２１では、直線状のガイド２１ａがキャリッジ５で支持され、ガイド２１ａがスライダー２１ｂを直線状に移動可能なように支持する。スライダー２１ｂは、前端ローラー１１の軸１１ａを支持する。前後案内機構２３では、直線状のガイド２３ａがキャリッジ５で支持され、ガイド２３ａがスライダー２３ｂを直線状に移動可能なように支持する。保持フレーム１６は、軸１１ａ，１３ａを回転可能に支持するとともに、上部案内ローラー１２の軸１２ａも回転可能に支持する。案内機構２２は、保持フレーム１６の変位を案内し、前端ローラー１１の昇降に応じてコンベアベルト４の生地排出部分４ａの下方への傾斜をそれぞれ緩急させる。前後案内機構２３のスライダー２３ｂは、軸支持板２３ｃを介して軸１３ｃを支持する。載置面２ａ上を前後に移動するキャリッジ５には、車輪２４，２５が設けられている。
【００２４】
キャリッジ５は、前端ローラー１１を昇降させるために、昇降板２６および昇降駆動機構２７を備えている。昇降板２６は、前端ローラー１１の軸１１ａおよび上下案内機構２１のスライダー２１ｂを支持する。昇降板２６の後部には、ラック２６ａが設けられ、昇降駆動機構２７のピニオン２７ａと噛合している。昇降駆動機構２７は、ピニオン２７ａとともに、従動ベルト２７ｂ、連絡プーリー２７ｃ、連絡軸２７ｄ、駆動ベルト２７ｅ、駆動プーリー２７ｆおよび伝達プーリー２７ｇを含む。
【００２５】
図３に示すように、キャリッジ５および保持フレーム１６は、幅方向の両側に設けられている。昇降板２６、および昇降駆動機構２７のピニオン２７ａと連絡プーリー２７ｃも、幅方向の両側に設けられている。さらに両側には、ピニオン２７ａと同軸に、伝達プーリー２７ｇが設けられる。伝達プーリー２７ｇには、従動ベルト２７ｂまたは駆動ベルト２７ｅが掛る。両側の連絡プーリー２７ｃ間は、連絡軸２７ｄで連結されるけれども、説明の便宜上、幅方向の中間部分の図示は省略する。図では下方となるキャリッジ５の一側方には従動ベルト２７ｂが設けられる。キャリッジ５の他側方には、駆動ベルト２７ｅおよび駆動プーリー２７ｆが設けられ、駆動プーリー２７ｆを回転駆動するモーター２７ｈも設けられる。
【００２６】
図２に示すように、軸１１ａ，１２ａ，１３ａは保持フレーム１６によって支持されている。保持フレーム１６間では、コンベアベルト４が保持フレーム１６に連動して傾斜が変化する。幅方向の両側での保持フレーム１６の支持によって、前端ローラー１１、上部案内ローラー１２および下部案内ローラー１３の相対的な位置関係は変らず、生地排出部分４ａとその下側のコンベアベルト４との間には、位置関係が変らない空間が形成される。本実施例では、この空間を利用して、図３に示すように、梁部材３０を配置して保持フレーム１６間の幅方向の強度を補強している。梁部材３０は、幅方向の中間部分で、前端ローラー１１を補強するように支持する支持部材３１を備えている。前端ローラー１１は、幅方向の中間部分で補強されるので、生地排出部分４ａでの前端ローラー１１の撓みを防止することができる。梁部材３０を利用すれば、コンベアベルト４の生地排出部分４ａを下方から支持したり、振動を与えるバイブレーターなどを配置したりして、生地３の搬送の円滑化も図ることもできる。
【００２７】
図４は、図３の切断面線Ａ−Ａから見た側面断面の構成を示す。保持フレーム１６間の幅方向には、他の図では図示を省略しているけれども、取付部材３２も掛け渡され、生地押え１５を駆動するエアシリンダー３３を支持する。また、取付部材３２は、生地案内板１４の前端付近で生地３の先端を検出する生地センサー３４も支持する。生地押え１５およびエアシリンダー３３は、幅方向に間隔をあけて複数設けられる。複数の生地押え１５は、生地センサー３４による生地３の検出結果に応じて動作する。たとえば、コンベアベルト４で生地３を搬送し、生地３の先端を生地センサー３４が検出すると、生地３の先端を前端ローラー１１まで戻して、生地３の先端を前端ローラー１１の位置に保持するように生地押え１５を同時に作動させることができる。
【００２８】
図５は、図１の前端ローラー１１の昇降とコンベアベルト４の生地排出部分４ａの傾斜の変化とのキャリッジ５内での関係を示す。（ａ）は本実施例１、（ｂ）は変形例、（ｃ）は特許文献１の例、をそれぞれ、前端ローラー１１の昇降の上下での生地排出部分４ａの傾斜変化として示す。前端ローラー１１の上下移動のストローク、下降位置での上部案内ローラー１２および下部案内ローラー１３の配置などは同一とする。下降位置での配置は実線、上昇位置での配置は二点鎖線でそれぞれ示す。
【００２９】
（ａ）に示すように、本実施例１では、前端ローラー１１は上下に、下部案内ローラー１３は前後に、それぞれ直線状の移動となるように案内される。（ｂ）の変形例では、下部案内ローラー１３に替えて、上部案内ローラー１２を直線状に案内する。（ｃ）に示すように、特許文献１の考え方では、上部案内ローラー１２および下部案内ローラー１３はキャリッジ５に対して移動しない。
【００３０】
（ａ）に示すように、本実施例１では、前後の直線状の案内距離を最短にすることができる。ただし、（ｂ）のように上部案内ローラー１２を直線状に案内すれば、上部案内ローラー１２よりも後方のコンベアベルト４は水平となる。（ａ）および（ｂ）では、コンベアベルト４の生地排出部分４ａと生地案内板１４とが同一傾斜で続き、生地３を円滑に移動させることができる。また、上下案内機構２１も前後案内機構２３も直線状の案内を行うので、積層体３ｂの厚み変化に伴う傾斜角度の変化も、円滑かつ安定して行うことができる。
【００３１】
（ｃ）に示すように、特許文献１の考え方では、前端ローラー１１が昇降しても、上部案内ローラー１２の位置は変らない。コンベアベルト４の生地排出部分４ａは、傾斜角度の減少で長さも減少するけれども、生地案内板１４の傾斜角度は一定であるので、生地排出部分４ａとの間に段差が生じる。
【００３２】
なお、案内機構２２では、前端ローラー１１の軸１１ａを曲線状の経路で案内してもよい。上部案内ローラー１２または下部案内ローラー１３の軸１２ａ，１３ａも曲線状の経路で案内したり、揺動軸として位置を固定したりすることもできる。ただし、上下案内機構２１および前後案内機構２３のような直線状の経路の方が安定した案内を行うことができる。前端ローラー１１を昇降駆動するために、ラック２６ａとピニオン２７ａとの組合せを使用しているけれども、他の機構、たとえばボールねじなどを使用することもできる。
【実施例２】
【００３３】
図６（ａ）は、本発明の実施例２でのコンベアベルト４の弛み取りの効果を示す。本実施例２は、保持フレーム１６によって支持され、下部案内ローラー１３の後方で、コンベアベルト４の下側を押圧して弛みを吸収する弛み取りローラー４０を含む。図５（ａ）に実線で示す下降位置から、二点鎖線で示すように前端ローラー１１が上昇すると、保持フレーム１６で支持される上部案内ローラー１２および下部案内ローラー１３は後方に移動し、ベルト４に弛みが生じる。この弛みは、図１に示す弛み取り部１８で減少するけれども、弛み取りローラー４０で下方に押圧することで、一層の弛み取りを行うことができる。
【実施例３】
【００３４】
図６（ｂ）は、本発明の実施例３でのコンベアベルト４の弛み取りの効果を示す。本実施例３は、実施例２の弛み取りローラー４０の後方に、キャリッジ５によって支持され、キャリッジ５に対しては固定される保持ローラー４１を設ける。保持ローラー４１が存在するので、実線で示す下降位置から前端ローラー１１が上昇するに伴う、二点鎖線で示す弛み取りローラー４０による弛み取りの効果を高めることができる。
【符号の説明】
【００３５】
１  延反機
２ａ  載置面
３  生地
３ａ  原反ロール
３ｂ  積層体
４  コンベアベルト
４ａ  生地排出部
５  キャリッジ
１１  前端ローラー
１１ａ，１２ａ，１３ａ  軸
１２  上部案内ローラー
１３  下部案内ローラー
１４  生地案内板
１５  生地押え
１６  保持フレーム
２１  上下案内機構
２２  案内機構
２３  前後案内機構
３０  梁部材
３１  支持部材
３４  生地センサー
【図１】
2019072789.tif 000003
【図２】
2019072789.tif 000004
【図３】
2019072789.tif 000005
【図４】
2019072789.tif 000006
【図５】
2019072789.tif 000007
【図６】
2019072789.tif 000008